(57)【特許請求の範囲】
【請求項１】
走行車体の後部に運転座席と後部ステップとを備え、かつ、前記走行車体の後部における前記運転座席の機体後側に農用供給装置を備え、
前記農用供給装置は、圃場への供給物を貯留するホッパと、前記ホッパに連接されて前記ホッパの供給物を繰り出す繰出機構と、前記繰出機構に連結されたフレームとを備えて、
前記走行車体の車体フレームから延出されて、前記フレームにおける下面部を有する板状の部材の前記下面部に固定される第１支持体と、
前記車体フレームから後方に延出されて前記フレームの前面部に固定される第２支持体とを備えている水田作業機。
【請求項２】
前記車体フレームは、前記後部ステップを支持する後部フレームと、前記運転座席を支持する座席フレームとを備え、
前記第１支持体を前記後部フレームから延出し、かつ、前記第２支持体を前記座席フレームから後方に延出している請求項１に記載の水田作業機。
【請求項３】
前記第１支持体の延出端部が、前記第２支持体の延出端部よりも機体後側に位置して、前記フレームにおける下面部を有する板状の部材の前記下面部に固定される支持部として機能し、
前記第２支持体の前記延出端部が、前記後部ステップの後端よりも機体後側に位置して、前記フレームの前面部に固定される支持部として機能している請求項１又は２に記載の水田作業機。
【請求項４】
前記第１支持体の延出端部と前記第２支持体の延出端部とが、前記後部ステップよりも上方に位置して、前記フレームにおける下面部を有する板状の部材の前記下面部及び前記フレームの前面部に固定される連結部として機能している請求項１〜３のいずれか一つに記載の水田作業機。
【請求項５】
前記第１支持体を前記走行車体の左右両側部に配備している請求項１〜４のいずれか一つに記載の水田作業機。
【請求項６】
前記第２支持体を前記運転座席の真後ろに配備している請求項１〜５のいずれか一つに記載の水田作業機。
【請求項７】
前記走行車体は、前記運転座席の機体前後方向での位置調節を可能にする位置調節機構を備え、
前記第２支持体は、機体後側に変位させた前記運転座席の後端部を受け止めて、前記運転座席の後方への傾倒を防止する受止具を備えている請求項１〜６のいずれか一つに記載の水田作業機。
【請求項８】
前記農用供給装置は、ワンウェイクラッチを介した前記走行車体からの動力により回転する駆動軸と、前記駆動軸の手動による回転駆動を可能にする着脱式の操作具とを備え、
前記第２支持体は、前記操作具の保管を可能にする操作具用の保管部を備えている請求項１〜７のいずれか一つに記載の水田作業機。
【請求項９】
前記農用供給装置は、複数の供給経路と、所定の供給経路を開放する離脱状態と閉鎖する装着状態とに着脱可能なシャッタとを備え、
前記第２支持体は、前記シャッタの保管を可能にするシャッタ用の保管部を備えている請求項１〜８のいずれか一つに記載の水田作業機。
【請求項１０】
前記第２支持体は、電子制御ユニットを支持する電子制御ユニット用の支持部を備えている請求項１〜９のいずれか一つに記載の水田作業機。
【発明の詳細な説明】
【技術分野】
【０００１】
本発明は、走行車体の後部に運転座席と後部ステップとを備え、かつ、前記走行車体の後部における前記運転座席の機体後側に農用供給装置を備えた水田作業機に関する。
【背景技術】
【０００２】
上記のような水田作業機としては、走行車体の車体フレームから上方に延出して農用供給装置（施肥装置）を下方から支持する第１支持体（繰出し支柱及びタンク支柱など）を備えたものがある（例えば特許文献１参照）。
【先行技術文献】
【特許文献】
【０００３】
【特許文献１】特開２００３−３１０００８号公報（段落番号００６６、図４〜６）
【発明の概要】
【発明が解決しようとする課題】
【０００４】
上記の構成では、農用供給装置を下方から支持するだけであることから、農用供給装置が、走行中の機体の振動などにより、走行車体に対して前後方向及び左右方向に揺れ動き易くなっている。そして、農用供給装置は、走行車体の後部における運転座席の機体後側という比較的高い位置に配備することから、その揺れ動きが、機体の安定性を低下させる要因の一つになり易く、機体の安定性の向上を図る上において改善の余地がある。
【０００５】
本発明の目的は、走行車体に対する農用供給装置の揺れ動きを抑制して、機体の安定性の向上を図れるようにすることにある。
【課題を解決するための手段】
【０００６】
本発明の課題解決手段は、水田作業機において、
走行車体の後部に運転座席と後部ステップとを備え、かつ、前記走行車体の後部における前記運転座席の機体後側に農用供給装置を備え、
前記農用供給装置は、圃場への供給物を貯留するホッパと、前記ホッパに連接されて前記ホッパの供給物を繰り出す繰出機構と、前記繰出機構に連結されたフレームとを備えて、
前記走行車体の車体フレームから延出されて、前記フレームにおける下面部を有する板状の部材の前記下面部に固定される第１支持体と、
前記車体フレームから後方に延出されて前記フレームの前面部に固定される第２支持体とを備えている。
【０００７】
この手段によると、農用供給装置を、第１支持体及び第２支持体により走行車体に対する左右方向及び前後方向への揺れ動きを抑制した好適な状態で、走行車体の後部に配備することができる。
【０００８】
従って、走行時の機体の安定性を向上させることができる。
【０００９】
本発明をより好適なものにするための手段の一つとして、
前記車体フレームは、前記後部ステップを支持する後部フレームと、前記運転座席を支持する座席フレームとを備え、
前記第１支持体を前記後部フレームから延出し、かつ、前記第２支持体を前記座席フレームから後方に延出している。
【００１０】
この手段によると、車体フレームのうち、農用供給装置とともに走行車体の後部に配備する後部ステップを支持することで農用供給装置の近くに位置する後部フレームを利用して、第１支持体をフレームにおける下面部を有する板状の部材の下面部に固定することから、第１支持体の長さを短くすることができる。これにより、第１支持体の構成を簡単にすることができる。
【００１１】
又、車体フレームのうち、農用供給装置の機体前側に位置する配置で農用供給装置とともに走行車体の後部に配備する運転座席を支持することで農用供給装置の前側で農用供給装置の近くに位置する座席フレームを利用して、第２支持体をフレームの前面部に固定することから、第２支持体の長さを短くすることができる。これにより、第２支持体の構成を簡単にすることができる。
【００１２】
従って、第１支持体及び第２支持体の構成の簡素化を図りながら、走行時の機体の安定性を向上させることができる。
【００１３】
本発明をより好適なものにするための手段の一つとして、
前記第１支持体の延出端部が、前記第２支持体の延出端部よりも機体後側に位置して、前記フレームにおける下面部を有する板状の部材の前記下面部に固定される支持部として機能し、
前記第２支持体の前記延出端部が、前記後部ステップの後端よりも機体後側に位置して、前記フレームの前面部に固定される支持部として機能している。
【００１４】
この手段によると、農用供給装置を走行車体における後部ステップよりも後方の位置に配備することができる。これにより、走行車体側から行う農用供給装置に対する補給作業時などにおいて踏み台として使用する後部ステップの踏面領域を、例えば、後部ステップを農用供給装置の載置台に兼用する場合に比較して広くすることができる。
【００１５】
従って、走行車体側から行う農用供給装置に対する補給作業を容易にすることができる。
【００１６】
本発明をより好適なものにするための手段の一つとして、
前記第１支持体の延出端部と前記第２支持体の延出端部とが、前記後部ステップよりも上方に位置して、前記フレームにおける下面部を有する板状の部材の前記下面部及び前記フレームの前面部に固定される連結部として機能している。
【００１７】
この手段によると、第１支持体及び第２支持体の連結部が後部ステップよりも下方に位置する構成において、それらの連結部に農用供給装置を連結する場合に要する、後部ステップの下方に入り込んだ状態での連結作業を不要にすることができる。
【００１８】
従って、走行車体に対する農用供給装置の組み付け性を向上させることができる。
【００１９】
本発明をより好適なものにするための手段の一つとして、
前記第１支持体を前記走行車体の左右両側部に配備している。
【００２０】
この手段によると、左右の第１支持体により農用供給装置の左右両端側を下方から安定性良く支持することができる。
【００２１】
従って、走行時の機体の安定性を更に向上させることができる。
【００２２】
本発明をより好適なものにするための手段の一つとして、
前記第２支持体を前記運転座席の真後ろに配備している。
【００２３】
この手段によると、後部ステップにおいて、使用頻度の少ない運転座席の後方箇所を利用して、第２支持体による農用供給装置の前方から支持を行うことができる。
【００２４】
従って、後部ステップを利用して行う農用供給装置に対する補給作業などの作業性を損なうことなく、走行時の機体の安定性を向上させることができる。
【００２５】
本発明をより好適なものにするための手段の一つとして、
前記走行車体は、前記運転座席の機体前後方向での位置調節を可能にする位置調節機構を備え、
前記第２支持体は、機体後側に変位させた前記運転座席の後端部を受け止めて、前記運転座席の後方への傾倒を防止する受止具を備えている。
【００２６】
この手段によると、第２支持体を利用した構成で、機体後側に変位させた運転座席の後端部を受け止めることができる。そして、この受け止めにより、機体後側に変位させることで農用供給装置に近接した運転座席の背凭れに凭れ掛かることに起因して、運転座席が後方に傾倒して運転座席の背凭れが農用供給装置に接触する虞を回避することができる。
【００２７】
従って、運転座席用の受け止め構造の簡素化を図りながら、運転座席が農用供給装置に接触することに起因して、農用供給装置の損傷などの不都合が生じる虞を回避することができる。
【００２８】
本発明をより好適なものにするための手段の一つとして、
前記農用供給装置は、ワンウェイクラッチを介した前記走行車体からの動力により回転する駆動軸と、前記駆動軸の手動による回転駆動を可能にする着脱式の操作具とを備え、
前記第２支持体は、前記操作具の保管を可能にする操作具用の保管部を備えている。
【００２９】
この手段によると、駆動軸に対する伝動を遮断することなく、操作具を使用した手動操作により、駆動軸を回転させることができ、農用供給装置を作動させることができる。これにより、農用供給装置における駆動軸の回転数に対する供給量の確認などを簡単に行うことができる。
【００３０】
そして、操作具を使用しない場合には、第２支持体に備えた操作具用の保管部に操作具を保管することができる。つまり、第２支持体を利用した構成で、駆動軸から取り外した操作具の紛失を招き難くすることができる。
【００３１】
本発明をより好適なものにするための手段の一つとして、
前記農用供給装置は、複数の供給経路と、所定の供給経路を開放する離脱状態と閉鎖する装着状態とに着脱可能なシャッタとを備え、
前記第２支持体は、前記シャッタの保管を可能にするシャッタ用の保管部を備えている。
【００３２】
この手段によると、シャッタの着脱により、使用する供給経路の数量を簡単に変更することができる。そして、シャッタを使用しない場合には、第２支持体に備えたシャッタ用の保管部にシャッタを保管することができる。つまり、第２支持体を利用した構成で、農用供給装置から取り外したシャッタの紛失を招き難くすることができる。
【００３３】
本発明をより好適なものにするための手段の一つとして、
前記第２支持体は、電子制御ユニットを支持する電子制御ユニット用の支持部を備えている。
【００３４】
この手段によると、第２支持体を利用した構成で電子制御ユニットを支持することができる。これにより、専用の支持部材を設ける場合に比較して、部品点数の削減による構成の簡素化などを図ることができる。
【図面の簡単な説明】
【００３５】
【図１】乗用田植機の左側面図である。
【図２】乗用田植機の平面図である。
【図３】乗用田植機における後部の縦断左側面図である。
【図４】施肥装置の正面図である。
【図５】施肥装置の横断平面図である。
【図６】施肥装置の背面図である。
【図７】施肥装置の支持構造を示す斜視図である。
【図８】施肥装置の支持構造を示す縦断左側面図である。
【図９】繰出機構の駆動構造及び各条数切替クラッチの操作構造を示す要部の平面図である。
【図１０】繰出量調節機構などの構成を示す要部の横断平面図である。
【図１１】繰出量調節機構などの構成を示す要部の正面図である。
【図１２】繰出用伝動機構及び繰出量調節機構などの構成を示す要部の右側面図である。
【図１３】繰出用伝動機構及び繰出量調節機構などの構成を示す要部の縦断正面図である。
【図１４】繰出用伝動機構の構成を示す要部の横断平面図である。
【図１５】標準施肥状態で連係アームを繰出量最多位置に操作した状態での第２アームの往揺動前（復揺動後）の状態を示す要部の縦断右側面図である。
【図１６】標準施肥状態で連係アームを繰出量最多位置に操作した状態での第２アームの復揺動前（往揺動後）の状態を示す要部の縦断右側面図である。
【図１７】標準施肥状態で連係アームを繰出量最少位置に操作した状態での第２アームの往揺動前（復揺動後）の状態を示す繰出用伝動機構の縦断右側面図である。
【図１８】標準施肥状態で連係アームを繰出量最少位置に操作した状態での第２アームの復揺動前（往揺動後）の状態を示す繰出用伝動機構の縦断右側面図である。
【図１９】減量施肥状態に切り替えた状態を示す繰出用伝動機構の縦断右側面図である。
【図２０】第２支持体などの構成を示す要部の縦断左側面図である。
【図２１】第２支持体などの構成を示す要部の縦断正面図である。
【図２２】第２支持体などの構成を示す要部の横断平面図である。
【発明を実施するための形態】
【００３６】
以下、本発明を実施するための形態の一例として、本発明を、水田作業機の一例である乗用田植機に適用した実施形態を図面に基づいて説明する。
【００３７】
図１及び図２に示すように、本実施形態で例示する乗用田植機は、乗用型の４輪駆動形式に構成した走行車体１を備えている。そして、走行車体１の後下部に、平行リンク形式のリンク機構２を上下揺動可能に連結している。又、リンク機構２の後下部に、４条植え用の苗植付装置３をローリング可能に連結している。一方、走行車体１の後上部に、農用供給装置Ａの一例として、圃場に対する供給物の一例である粒状肥料を圃場に供給する４条施肥用の施肥装置４を配備している。これにより、最大４条の苗植えと施肥とが可能な４条植え用のミッドマウント施肥仕様に構成している。そして、その後部に、リンク機構２を介して苗植付装置３を昇降駆動する昇降シリンダ５を備えている。昇降シリンダ５には、単動型の油圧シリンダを採用している。
【００３８】
図１〜３に示すように、走行車体１は、車体フレーム６の前部に空冷式のエンジン７などを備えている。又、車体フレーム６の後部側に搭乗運転部８などを備えている。車体フレーム６は、エンジン搭載用の前部フレーム９、前部フレーム９の後端部に連結するトランスミッションケース（以下、Ｔ／Ｍケースと称する）１０、Ｔ／Ｍケース１０の後端部に連結する後部フレーム１１、及び、後部フレーム１１の上端部に連結する座席フレーム１２、などを備えている。搭乗運転部８は、前輪操舵用のステアリングホイール１３、搭乗ステップ１４、運転座席１５、及び、後部ステップ１６、などを備えている。
【００３９】
図１及び図３に示すように、Ｔ／Ｍケース１０は、その前側の左右両側部から横外方に延出する左右の前車軸ケース１７、及び、その後側の左右両側部から後下方に延出する左右のスイングケース１８、などを備えている。そして、左右の前車軸ケース１７の延出端に、左右の前輪１９を操舵可能かつ駆動可能に装備している。又、左右のスイングケース１８の延出端に、左右の後輪２０を駆動可能に装備している。左右のスイングケース１８は、Ｔ／Ｍケース１０から左右のスイングケース１８にわたる左右向きの伝動軸２１を支点にして上下揺動する。そして、それらの遊端側を左右のサスペンション機構２２を介して車体フレーム６に連結している。
【００４０】
図１〜８に示すように、後部フレーム１１は、Ｔ／Ｍケース１０の後端部に連結することにより、上方に延出する支持部１１ＡがＴ／Ｍケース１０の後方に位置するように構成している。そして、その支持部１１Ａの上面により、走行車体１の後上部に配備した後部ステップ１６を下方から支持している。後部ステップ１６は、左右の後輪２０の車輪間隔よりも長い横幅を有している。そして、その左右の前端から搭乗ステップ１４に向けて延出する後輪フェンダ兼用のカバー部１６Ａを一体形成している。
【００４１】
座席フレーム１２は、後部ステップ１６とともに後部フレーム１１の上端部に連結して、後部ステップ１６の上方に配備している。そして、左右のクッションゴム２３、及び、運転座席１５の機体前後方向での位置調節を可能にする位置調節機構２４を介して、走行車体１の後上部に配備した運転座席１５を支持している。位置調節機構２４は、座席フレーム１２の前端部に着脱可能に備えた左右向きの支軸２５、及び、運転座席１５に備えた左右のブラケット２６、などから構成している。そして、左右の各ブラケット２６に、支軸挿通用の３つの貫通孔２６Ａを前後方向に所定間隔をあけて形成することにより、運転座席１５の機体前後方向での３段階の位置調節を可能にしている。又、支軸２５を支点にした運転座席１５の使用位置と前方の倒伏位置とにわたる揺動操作を可能にしている。
【００４２】
図１に示すように、エンジン７からの動力は、ベルトテンション式の主クラッチ２７などを介して、主変速装置として備えた静油圧式無段変速装置２８に伝達している。そして、静油圧式無段変速装置２８による変速後の動力を、Ｔ／Ｍケース１０の内部において第１動力と第２動力とに分岐している。第１動力は、Ｔ／Ｍケース１０に内蔵したギア式の副変速装置（図示せず）に伝達している。そして、副変速装置による変速後の第１動力を、Ｔ／Ｍケース１０の内部において走行用と施肥用とに分岐している。走行用の動力は、Ｔ／Ｍケース１０の内部において前輪駆動用と後輪駆動用とに分岐している。そして、前輪駆動用の動力を、前輪伝動系（図示せず）を介して左右の前輪１９に伝達している。又、後輪駆動用の動力を、後輪伝動系（図示せず）を介して左右の後輪２０に伝達している。施肥用の動力は、Ｔ／Ｍケース１０に内蔵した施肥クラッチ（図示せず）などを介して施肥装置４に伝達している。第２動力は、Ｔ／Ｍケース１０に内蔵したギア式の株間変速装置（図示せず）及び植付クラッチ（図示せず）などを介して、苗植え用として苗植付装置３に伝達している。植付クラッチは、その断続操作に連動して施肥クラッチが同様に断続操作されるように施肥クラッチに操作連係している。
【００４３】
図１及び図２に示すように、苗植付装置３は、４条用の整地フロート３０、４条用の苗載台３１、動力分配機構３２、横送り機構３３、４基のロータリ式植付機構（以下、植付機構と称する）３４、及び、４基の縦送り機構３５、などを備えている。
【００４４】
整地フロート３０は、作業走行時に走行車体１の走行に伴って圃場の泥面を整地しながら滑走する。苗載台３１は、最大４条分のマット状苗を載置するように形成している。動力分配機構３２は、走行車体１からの動力を、横送り機構３３と各植付機構３４と各縦送り機構３５とに分配供給する。横送り機構３３は、動力分配機構３２からの動力により、苗載台３１を左右方向に一定ストロークで往復移動させる。各植付機構３４は、動力分配機構３２からの動力により、苗載台３１とともに左右方向に往復移動するマット状苗の下端から所定量ずつの植付苗を切り取って整地フロート３０による整地後の圃場泥土部に植え付ける。各縦送り機構３５は、苗載台３１が左右のストローク端に達するごとに、動力分配機構３２からの動力により、対応するマット状苗を苗載台３１の下端に向けて所定ピッチで縦送りする。そして、これらの作動により、苗植付装置３を最大４条の苗植えが可能な４条用に構成している。
【００４５】
図示は省略するが、苗植付装置３は、苗載台３１に載置した各マット状苗の選択的な下方への移動阻止を可能にする苗ストッパを備えている。又、苗載台３１に載置した各マット状苗の残量が設定値よりも低下したことを検出する苗切れセンサ（図示せず）を備えている。
【００４６】
図１〜６に示すように、施肥装置４は、施肥フレーム３６、肥料貯留用のホッパ３７、左右の繰出機構３８、４本の施肥ホース３９、４つの作溝器４０、及び、電動式のブロワ４１、などを備えている。そして、走行車体１の後部における運転座席１５の機体後側に配備している。
【００４７】
施肥フレーム３６は、左右の繰出機構３８を後方から支持する左右に長い主部材４２に、左右の繰出機構３８を前方から支持する左右に長い補助部材４３、などをボルト連結して構成している。
【００４８】
ホッパ３７は、６条分の粒状肥料を貯留する横長形状に形成している。そして、その左右中心が機体の左右中心と一致する配置で、各繰出機構３８及びブロワ４１とともに走行車体１の後上部に配備している。又、その下端部に３つの排出部３７Ａを、それらの２つが下端部の左右中央側において左右に並んで位置し、残りの１つが右側の排出部３７Ａの右外側に位置する配置で備えている。そして、その内部に、３つの排出部３７Ａのうちの左右中央の排出部３７Ａへの粒状肥料の流下を阻止するとともに、左右外側の排出部３７Ａに粒状肥料を流下案内するガイド部材４４を着脱可能に備えている。つまり、６条用のホッパ３７にガイド部材４４を装着することにより、６条用のホッパ３７を４条用に仕様変更している。ホッパ３７の内部には、貯留した粒状肥料の残量が設定値よりも低下したことを検出する肥料切れセンサ（図示せず）を備えている。
【００４９】
各繰出機構３８は、施肥フレーム３６により、ホッパ３７に備えた３つの排出部３７Ａのうちの左右外側の排出部３７Ａに対応する配置で連結している。そして、それらの上端部を左右外側の排出部３７Ａに連接している。又、それらの内部に、走行車体１からの施肥用の動力によって回転する繰出ロール４５を備えている。そして、各繰出ロール４５の左半部に備えた複数の凹部４５Ａと右半部に備えた複数の凹部４５Ａとから、各繰出ロール４５の回転により、ホッパ３７の内部から２条分の粒状肥料を所定量ずつ下方に繰り出す２条用に構成している。これにより、最大４条分の粒状肥料を繰り出すように構成にしている。
【００５０】
各施肥ホース３９は、それらの一端部を対応する繰出機構３８に接続している。又、それらの他端部に作溝器４０を接続している。そして、各繰出機構３８が繰り出した粒状肥料を対応する作溝器４０に案内する。
【００５１】
各作溝器４０は、対応する植付機構３４と機体横方向で隣接する位置に配置設定して整地フロート３０に取り付けている。そして、作業走行時に走行車体１の走行に伴って圃場の泥土部に施肥用の溝を形成し、その溝内に粒状肥料を埋没させる。各作溝器４０の内面には、作溝器内での肥料の詰まりを検出する肥料詰まりセンサ（図示せず）を備えている。
【００５２】
ブロワ４１は、施肥フレーム３６の左端部にボルト連結している。そして、走行車体１からの電力で作動することにより、各繰出機構３８から各施肥ホース３９の内部を通って各作溝器４０に向かう搬送風を生起する。これにより、各繰出機構３８が繰り出した粒状肥料の各施肥ホース３９内での流動を円滑にすることができる。
【００５３】
施肥装置４は、左右の繰出機構３８と４本の施肥ホース３９と４つの作溝器４０とから４系統の供給経路４６を形成している。又、所定の供給経路４６を開放する離脱状態と閉鎖する装着状態とに着脱可能な２つのシャッタ４７を備えている。各シャッタ４７は、各繰出機構３８に備えた左右のシャッタ装着部３８Ａに各繰出機構３８の正面側から選択的に装着することができる。そして、その装着状態では、装着箇所に対応する繰出ロール４５の左半部又は右半部への粒状肥料の流下を遮断する。これにより、装着箇所に対応する供給経路４６を閉鎖する。
【００５４】
図１〜６及び図９に示すように、施肥装置４は、左右の繰出機構３８にわたる左右向きの駆動軸４８、走行車体１からの施肥用の動力を駆動軸４８に伝達する繰出用伝動機構４９、及び、各繰出機構３８による肥料繰り出し量の一括した調節を可能にする繰出量調節機構５０、などを備えている。
【００５５】
駆動軸４８は、各繰出機構３８に備えた入力ギア５１と噛み合い連動する２つの出力ギア５２を相対回転可能に外嵌装備している。又、駆動軸４８から対応する出力ギア５２への伝動を断続する２つの施肥条数切替クラッチ５３を外嵌装備している。各施肥条数切替クラッチ５３は、搭乗運転部８に備えた２本の条数切替レバー５４に２系統の施肥条数切替操作系５５を介して操作連係している。これにより、対応する条数切替レバー５４による断続操作を可能にしている。
【００５６】
一方、苗植付装置３は、動力分配機構３２から対応する２つの植付機構３４への伝動を断続する２つの植付条数切替クラッチ５６、及び、動力分配機構３２から対応する２つの縦送り機構３５への伝動を断続する２つの縦送り条数切替クラッチ５７、を備えている。
各植付条数切替クラッチ５６は、対応する条数切替レバー５４に２系統の植付条数切替操作系５８を介して操作連係している。これにより、対応する条数切替レバー５４による断続操作を可能にしている。各縦送り条数切替クラッチ５７は、対応する条数切替レバー５４に２系統の縦送り条数切替操作系５９を介して操作連係している。これにより、対応する条数切替レバー５４による断続操作を可能にしている。
【００５７】
上記の構成から、各条数切替レバー５４の操作により、この乗用田植機の作業状態を、苗植付装置３における全ての植付機構３４と縦送り機構３５とを作動させ、かつ、施肥装置４における全ての繰出機構３８を作動させる全条作業状態、苗植付装置３における左側２条分の植付機構３４と縦送り機構３５とを作動させ、かつ、施肥装置４における左側の繰出機構３８を作動させる左側２条作業状態、苗植付装置３における右側２条分の植付機構３４と縦送り機構３５とを作動させ、かつ、施肥装置４における右側の繰出機構３８を作動させる右側２条作業状態、又は、苗植付装置３における全ての植付機構３４と縦送り機構３５とを停止させ、かつ、施肥装置４における全ての繰出機構３８を停止させる全条停止状態に、択一的に切り替えることができる。
【００５８】
そして、前述した苗ストッパとシャッタ４７とを使用することにより、この乗用田植機の作業状態を、全条作業状態において右端のマット状苗の下方への移動を阻止し、かつ、施肥装置４における右端の供給経路４６を閉鎖する左側３条作業状態、左側２条作業状態において左側２つ目のマット状苗の下方への移動を阻止し、かつ、施肥装置４における左側２つ目の供給経路４６を閉鎖する左側１条作業状態、全条作業状態において左端のマット状苗の下方への移動を阻止し、かつ、施肥装置４における左端の供給経路４６を閉鎖する右側３条作業状態、又は、右側２条作業状態において右側２つ目のマット状苗の下方への移動を阻止し、かつ、施肥装置４における右側２つ目の供給経路４６を閉鎖する右側１条作業状態に切り替えることができる。
【００５９】
図５、図６、図９及び図１０に示すように、施肥装置４は、各繰出機構３８を停止状態に一括して切り替える施肥停止用の切替レバー６０を備えている。切替レバー６０は、施肥フレーム３６の右端部に、停止位置と停止解除位置とに揺動切り替え可能に配備している。そして、左右向きの連係部材６１などを備える施肥状態切替操作系６２を介して各施肥条数切替クラッチ５３に操作連係している。これにより、切替レバー６０の停止解除位置から停止位置への揺動操作に伴って、各繰出機構３８が、各条数切替レバー５４の操作位置にかかわらず停止状態に切り替わるように構成している。又、切替レバー６０の停止位置から停止解除位置への揺動操作に伴って、各繰出機構３８が、対応する条数切替レバー５４の操作位置に応じた作動状態に切り替わるように構成している。
【００６０】
つまり、施肥停止用の切替レバー６０を揺動操作することにより、この乗用田植機の作業状態を、苗植付装置３による苗植えと施肥装置４による施肥とを行う植え付け施肥状態と、施肥装置４による施肥を行わずに苗植付装置３による苗植えのみを行う植え付け状態とに切り替えることができる。
【００６１】
図１、図３〜５及び図１０〜１９に示すように、繰出用伝動機構４９は、Ｔ／Ｍケース１０の左側部に備えた左右向きの施肥動力取出軸６３が施肥用の動力として出力する回転動力を往復揺動運動に変換する第１変換部６４、及び、その往復揺動運動を駆動軸４８の正回転運動に変換する第２変換部６５、などを備えている。そして、前述した繰出量調節機構５０に連係する第２変換部６５を、繰出量調節機構５０とともに機体の右端部に配備している。
【００６２】
第１変換部６４は、施肥動力取出軸６３と一体回転する回転アーム６６に一端部をピン連結した連係ロッド６７、連係ロッド６７の他端部にピン連結した第１アーム６８、第１アーム６８を左端部に固着した左右向きの連係軸６９、及び、第１アーム６８と連係軸６９を介して一体揺動するように連係軸６９の右端部に固着した第２アーム７０、などを備えている。そして、これらにより、施肥動力取出軸６３からの回転動力を第１アーム６８及び第２アーム７０の往復揺動運動に変換している。
【００６３】
駆動軸４８は、その最右端部に駆動軸４８の逆回転を防止する逆転防止用のワンウェイクラッチ７１を外嵌装備している。逆転防止用のワンウェイクラッチ７１は、そのアウタレース７１Ａを施肥フレーム３６の主部材４２にボルト連結して固定している。
【００６４】
第２変換部６５は、駆動軸４８の正回転操作を可能にする正回転操作用の第１ワンウェイクラッチ７２と第２ワンウェイクラッチ７３、第１変換部６４における第２アーム７０の往方向（機体後方向き）の揺動運動を左側の第１ワンウェイクラッチ７２を介して駆動軸４８の正回転動力として駆動軸４８に伝える第１リンク機構７４、及び、第１変換部６４における第２アーム７０の復方向（機体前方向き）の揺動運動を右側の第２ワンウェイクラッチ７３を介して駆動軸４８の正回転動力として駆動軸４８に伝える第２リンク機構７５、などを備えている。
【００６５】
第１ワンウェイクラッチ７２及び第２ワンウェイクラッチ７３は、駆動軸４８の右端部における逆転防止用のワンウェイクラッチ７１よりも機体内側の位置に、左右に並べた状態で外嵌装備している。
【００６６】
第１リンク機構７４は、第２アーム７０に一端部をピン連結したターンバックル式の連係ロッド７６、連係ロッド７６の他端部にピン連結した揺動部材７７、揺動部材７７に一端部をピン連結した第１連係部材７８、及び、第１連係部材７８の他端部にピン連結した第１揺動リンク７９、などにより構成している。
【００６７】
第２リンク機構７５は、第１リンク機構７４と共用する連係ロッド７６と揺動部材７７、揺動部材７７に一端部をピン連結した第２連係部材８０、及び、第２連係部材８０の他端部にピン連結した第２揺動リンク８１、などにより構成している。
【００６８】
第１揺動リンク７９は、その基端部を第１ワンウェイクラッチ７２のアウタレース７２Ａに固着している。第２揺動リンク８１は、その基端部を第２ワンウェイクラッチ７３のアウタレース７３Ａに固着している。これにより、第２リンク機構７５の第２連係部材８０及び第２揺動リンク８１が、第１リンク機構７４の第１連係部材７８及び第１揺動リンク７９よりも機体の右外側に位置するように構成している。
【００６９】
第２リンク機構７５は、駆動軸４８に伝動する伝動状態と伝動を停止する伝動停止状態とに切り替え可能に構成している。この構成により、第２リンク機構７５を伝動状態に切り替えると、第１変換部６４における第２アーム７０の往方向の揺動運動と復方向の揺動運動とを第２変換部６５を介して駆動軸４８の正回転動力として伝えることができる。これにより、第２アーム７０の往復揺動から得られる各繰出機構３８における繰出ロール４５の回動角を大きくすることができ、第２アーム７０の１往復揺動当たりでの各繰出機構３８による肥料繰出量を多くすることができる。逆に、第２リンク機構７５を伝動停止状態に切り替えると、第１変換部６４における第２アーム７０の往方向の揺動運動のみを第２変換部６５を介して駆動軸４８の正回転動力として伝えることができる。これにより、第２アーム７０の往復揺動から得られる各繰出機構３８における繰出ロール４５の回動角を小さくすることができ、第２アーム７０の１往復揺動当たりでの各繰出機構３８による肥料繰出量を少なくすることができる。
【００７０】
つまり、第２リンク機構７５を伝動状態と伝動停止状態とに切り替えることにより、各繰出機構３８の肥料繰り出し状態を、第２アーム７０の１往復揺動当たりの肥料繰り出し量を標準量とする第１繰り出し状態と、第２アーム７０の１往復揺動当たりの肥料繰り出し量を標準量よりも少なくする第２繰り出し状態とに切り替えることができ、施肥装置４の作動状態を、標準量の施肥を行う標準施肥状態と、標準量よりも施肥量の少ない施肥を行う減量施肥状態とに切り替えることができる。
【００７１】
図２、図４〜６及び図１０〜１９に示すように、繰出量調節機構５０は、上下揺動可能な前後向きのネジ軸８２、ネジ軸８２の前端に固定した人為操作用のハンドル８３、及び、ネジ軸８２を第２変換部６５の揺動部材７７に連係する連係アーム８４、などを備えている。
【００７２】
そして、ハンドル８３を減量方向に回転させると、ネジ軸８２によるネジ送り作用により、連係アーム８４が減量方向に揺動変位し、この揺動変位に伴って、第２変換部６５の揺動部材７７が減量方向に揺動変位する。これにより、揺動部材７７と正回転操作用の第１及び第２ワンウェイクラッチ７２，７３とを連係する第１及び第２連係部材７８，８０と第１及び第２揺動リンク７９，８１との屈曲が浅くなり、揺動部材７７の揺動角に対する第１及び第２揺動リンク７９，８１の揺動角が小さくなる。その結果、施肥装置４の各繰出機構３８による肥料繰り出し量を一括して減少させることができる。
【００７３】
逆に、ハンドル８３を増量方向に回転させると、ネジ軸８２によるネジ送り作用により、連係アーム８４が増量方向に揺動変位し、この揺動変位に伴って、第２変換部６５の揺動部材７７が増量方向に揺動変位する。これにより、揺動部材７７と正回転操作用の第１及び第２ワンウェイクラッチ７２，７３とを連係する第１及び第２連係部材７８，８０と第１及び第２揺動リンク７９，８１との屈曲が深くなり、揺動部材７７の揺動角に対する第１及び第２揺動リンク７９，８１の揺動角が大きくなる。その結果、施肥装置４の各繰出機構３８による肥料繰り出し量を一括して増加させることができる。
【００７４】
つまり、繰出量調節機構５０は、ネジ軸８２のネジ送り作用により、各繰出機構３８による肥料繰り出し量を一括して無段階に調節するネジ送り調節式に構成している。
【００７５】
第２変換部６５は、施肥装置４の標準施肥状態での各繰出機構３８の肥料繰り出し量を繰出量調節機構５０にて最少に設定した場合と、施肥装置４の減量施肥状態での各繰出機構３８の肥料繰り出し量を繰出量調節機構５０にて最多に設定した場合とで、第１変換部６４における第２アーム７０の１回の往復揺動に対する駆動軸４８の正回転方向での回転角が同じになって各繰出機構３８の肥料繰り出し量が同じになるように、第１リンク機構７４及び第２リンク機構７５のリンク比を設定している。
【００７６】
これにより、施肥装置４の標準施肥状態での繰出量調節機構５０による肥料繰り出し量の調節領域と、施肥装置４の減量施肥状態での繰出量調節機構５０による肥料繰り出し量の調節領域とに、肥料繰り出し量が重複する無駄な調節領域が存在することを阻止することができる。その結果、施肥装置４の標準施肥状態と減量施肥状態との切り替えを利用した繰出量調節機構５０による肥料繰り出し量の調節を、無駄なく連続する広範囲の調節領域によって良好に行うことができる。
【００７７】
図３〜８、図１０及び図２０〜２２に示すように、走行車体１は、後部フレーム１１から延出して施肥装置４を下方から支持する左右の第１支持体Ｂ１と、座席フレーム１２から後方に延出して施肥装置４を前方から支持する第２支持体Ｂ２とを備えている。
【００７８】
左右の第１支持体Ｂ１は、丸パイプ鋼材からなる支持アーム８５、後部フレーム１１に連結する第１連結部材８６、及び、施肥フレーム３６に連結する第２連結部材８７、などを備えている。各支持アーム８５は、前後向きの第１アーム部８５Ａと、後上がり傾斜する第２アーム部８５Ｂと、横向きＵ字状の第３アーム部８５Ｃとを、その順に有するように曲げ形成している。そして、第１アーム部８５Ａ側の端部に第１連結部材８６を溶接している。又、第３アーム部８５Ｃ側の端部に第２連結部材８７を溶接している。第１連結部材８６は、第１アーム部８５Ａに外嵌するＵ字状に曲げ形成している。第２連結部材８７は、Ｕ字状の縦断面を有するように曲げ形成している。そして、その底面を第３アーム部８５Ｃに溶接している。
【００７９】
第２支持体Ｂ２は、座席フレーム１２に連結する第１部材８８と、施肥フレーム３６に連結する第２部材８９とをボルト連結して構成している。これにより、第１部材８８と第２部材８９との間に、ボルト径と穴径との差による位置調節用の融通を備えることができる。その結果、例えば、第１部材８８と第２部材８９とを溶接による一体構造とする場合に比較して、施肥装置４を走行車体１に組み付ける際の各連結箇所の位置合わせが行い易くなり、施肥装置４の組み付け性を向上させることができる。
【００８０】
第１部材８８は、座席フレーム１２にボルト連結する前側連結部８８Ａ、第２部材８９にボルト連結する後側連結部８８Ｂ、前側及び後側連結部８８Ａ，８８Ｂの間に位置する補強用の縦壁８８Ｃ、補強用の左側壁８８Ｄ、補強用の右側壁８８Ｅ、及び、運転座席受け止め用の台座部８８Ｆ、などを有する形状に曲げ形成した板金材により構成している。前側連結部８８Ａは、座席フレーム１２に対する前後方向での位置ずれを吸収する長孔８８ａを備えている。
【００８１】
第２部材８９は、左右向きの角パイプ鋼材に複数の板金材などを溶接して、第１部材８８にボルト連結する前側連結部８９Ａ、施肥フレーム３６にボルト連結する左右の後側連結部８９Ｂ、操作具保管用の載置部８９Ｃ、及び、シャッタ保管用の挿通部８９Ｄ、などを有する形状に構成している。
【００８２】
後部フレーム１１は、その上部の左右両端側箇所に、第１支持体Ｂ１の第１連結部材８６とのボルト連結を可能にする連結部１１Ｂを備えている。各連結部１１Ｂは、前後方向視の形状を、第１連結部材８６の挿通を許容する略矩形状に形成している。
【００８３】
座席フレーム１２は、後部フレーム１１の支持部１１Ａにボルト連結する左右の脚部１２Ａを備えている。そして、左側の脚部１２Ａに、第２支持体Ｂ２の第１部材８８を載置する載置面を有して第１部材８８とのボルト連結を可能にする連結部１２Ｂを備えている。連結部１２Ｂに対する第１部材８８のボルト連結には、ハンドル付きのボルト９０を使用して、それらの連結及び連結解除を簡単に行えるようにしている。
【００８４】
施肥フレーム３６は、その後部側を構成する主部材４２に、第１支持体Ｂ１の第２連結部材８７とのピン連結を可能にする左右の第１連結部３６Ａを備えている。又、その前部側を構成する補助部材４３に、第２支持体Ｂ２の後側連結部８９Ｂとのボルト連結を可能にする左右の第２連結部３６Ｂを備えている。
【００８５】
各第１支持体Ｂ１及び第２支持体Ｂ２は、各第１支持体Ｂ１を後部フレーム１１に連結し、かつ、第２支持体Ｂ２を座席フレーム１２に連結した状態では、各第１支持体Ｂ１が、後部ステップ１６の下方において走行車体１の左右両側部に分散して位置する。又、第２支持体Ｂ２が、後部ステップ１６の上方において、走行車体１の左右中央に位置する運転座席１５の真後ろに位置する。そして、第２支持体Ｂ２の延出端部Ｂ２ａとなる第２部材８９の各後側連結部８９Ｂが、後部ステップ１６よりも上方に位置し、かつ、後部ステップ１６の後端よりも機体後側に位置して、施肥装置４の前部を支持する支持部として機能する。又、各第１支持体Ｂ１の延出端部Ｂ１ａとなる第２連結部材８７が、第２部材８９の各後側連結部８９Ｂよりも機体後側に位置して、施肥装置４の後部を支持する支持部として機能する。そして、各第１支持体Ｂ１及び第２支持体Ｂ２に施肥装置４を連結した状態では、左側の第１支持体Ｂ１が、施肥装置４の搬送風供給ダクト９１と駆動軸４８とを迂回し、又、右側の第１支持体Ｂ１が、施肥装置４の搬送風供給ダクト９１と駆動軸４８と連係軸６９とを迂回して、施肥装置４における後部の左右両端側を下方から支持する。又、第２支持体Ｂ２が、座席フレーム１２から後方に延出して、施肥装置４における前部の左右中央箇所を前方から支持する。尚、搬送風供給ダクト９１は、ブロワ４１からの搬送風を各繰出機構３８に供給するために、ブロワ４１から各繰出機構３８に向けて右方向に延出している。
【００８６】
上記の構成により、施肥装置４を、その左右両端側を左右の第１支持体Ｂ１により下方から支持する安定状態で、かつ、その左右中央箇所を第２支持体Ｂ２により前方から支持することによって走行車体１に対する左右方向及び前後方向への揺れ動きを抑制した好適な状態で、走行車体１における後部ステップ１６よりも後方の位置に配備することができる。又、これにより、走行車体１側から行う苗載台３１への苗補給時やホッパ３７への肥料補給時などにおいて踏み台として使用する後部ステップ１６の踏面領域を、例えば、後部ステップ１６を施肥装置４の載置台に兼用する場合に比較して広くすることができる。その結果、走行車体１側から行う苗載台３１への苗補給やホッパ３７への肥料補給が行い易くなる。
【００８７】
又、ハンドル付きのボルト９０を操作して、座席フレーム１２と第２支持体Ｂ２との連結を解除することにより、施肥装置４を、施肥フレーム３６と左右の第１支持体Ｂ１とを連結する左右向きの連結ピン９２を支点にして、後方のメンテナンス位置に揺動変位させることができる。これにより、施肥装置４に備えた各繰出機構３８などに対する清掃などのメンテナンス作業を容易に行うことができる。
【００８８】
尚、各繰出機構３８は、施肥フレーム３６に固定する上部ケース９３と、上部ケース９３に対して後部支点回りに揺動する下部ケース９４とを備えている。そして、下部ケース９４は、施肥装置４を後方のメンテナンス位置に揺動変位させることにより、上部ケース９３に連接する連接位置から、上部ケース９３との間を開放するメンテナンス位置への揺動変位が可能になるように構成している。
【００８９】
つまり、施肥装置４をメンテナンス位置に揺動変位させて、各繰出機構３８の下部ケース９４をメンテナンス位置に揺動変位させることにより、各繰出機構３８に内蔵した繰出ロール４５などに対する清掃や交換などのメンテナンス作業を容易に行うことができる。
【００９０】
図３〜５、図７、図８及び図２０〜２２に示すように、第２支持体Ｂ２は、第１部材８８の台座部８８Ｆに、位置調節機構２４により後端位置に変位させた運転座席１５の後端部を受け止めて、運転座席１５の後方への傾倒を防止するゴム製の受止具９５を備えている。これにより、後端位置に変位させることで施肥装置４のホッパ３７に近接した運転座席１５の背凭れに凭れ掛かることに起因して、運転座席１５が後方に傾倒して運転座席１５の背凭れが樹脂製のホッパ３７に接触する虞を回避している。
【００９１】
図４、図５、図７、図１１、図１４及び図２０〜２２に示すように、施肥装置４は、その駆動軸４８の右端部に外嵌することにより、駆動軸４８の手動による回転駆動を可能にする着脱式の操作具９６を備えている。これにより、駆動軸４８に対する伝動を遮断することなく、操作具９６を使用した手動操作により、駆動軸４８を回転させることができ、施肥装置４を作動させることができる。その結果、施肥装置４における駆動軸４８の回転数に対する施肥量の確認などを簡単に行うことができる。
【００９２】
第２支持体Ｂ２は、第２部材８９の載置部８９Ｃに操作具保持用のクリップ９７を取り付けることにより、駆動軸４８から取り外した操作具９６の保管を可能にする操作具用の保管部９８を構成している。これにより、駆動軸４８から取り外した操作具９６の紛失を招き難くすることができる。
【００９３】
図３〜５、図７、図８及び図２０〜２２に示すように、第２支持体Ｂ２は、第２部材８９の挿通部８９Ｄにシャッタ保持用のホルダ９９を連結することにより、施肥装置４から取り外した２つのシャッタ４７の保管を可能にするシャッタ用の保管部１００を構成している。これにより、施肥装置４から取り外したシャッタ４７の紛失を招き難くすることができる。
【００９４】
又、この乗用田植機は、苗植付装置３の苗切れセンサ、及び、施肥装置４の肥料切れセンサや肥料詰まりセンサ、などからの検出に基づいて、作業用の報知装置（図示せず）を作動させる制御作動などを行う作業用の電子制御ユニット１０１を備えている。第２支持体Ｂ２は、第２部材８９における左右の後側連結部８９Ｂに、電子制御ユニット支持用のボルト連結部分８９Ｂａを備えている。そして、左右のボルト連結部分８９Ｂａにより、作業用の電子制御ユニット１０１を支持する電子制御ユニット１０１用の支持部１０２を構成している。これにより、電子制御ユニット用の支持部１０２を構成する専用の支持部材を設ける場合に比較して、部品点数の削減による構成の簡素化などを図ることができる。
【００９５】
第２支持体Ｂ２の第２部材８９は、左右の後側連結部８９Ｂと一体形成した左右の縦壁部８９Ｅを備えている。そして、左右の縦壁部８９Ｅの間に、電子制御ユニット用の支持部１０２に支持された作業用の電子制御ユニット１０１が位置するように構成している。
これにより、作業用の電子制御ユニット１０１に対する他物の接触を抑制することができる。
【００９６】
図７、図１０及び図１２〜１４に示すように、逆転防止用のワンウェイクラッチ７１は、そのアウタレース７１Ａに施肥フレーム３６の主部材４２に対する連結部７１Ｂを備えている。施肥フレーム３６の主部材４２は、ワンウェイクラッチ７１の連結部７１Ｂとのボルト連結を可能にする連結部４２Ａを備えている。主部材４２の連結部４２Ａとワンウェイクラッチ７１の連結部７１Ｂとの連結には、２本の段付きボルト１０３と２つの座金１０４と２つのバネ座金１０５とを使用している。そして、ワンウェイクラッチ７１の連結部７１Ｂにおける穴径を、段付きボルト１０３の大径部１０３Ａよりも大きして、ワンウェイクラッチ７１の連結部７１Ｂを、主部材４２の連結部４２Ａと段付きボルト１０３の頭部１０３Ｂとの間に、座金１０４とバネ座金１０５とを介して挟持保持するように構成している。
【００９７】
この構成により、施肥装置４での組み付け誤差に起因して主部材４２の連結部４２Ａとワンウェイクラッチ７１の連結部７１Ｂとの間に生じる組み付け誤差を、それらのボルト連結箇所において吸収することができる。これにより、逆転防止用のワンウェイクラッチ７１を、駆動軸４８に対する適正な姿勢で、かつ、主部材４２の連結部４２Ａに対して安定した状態で、主部材４２の連結部４２Ａに簡単かつ確実に組み付けることができる。そして、この組み付けにより、主部材４２に対する逆転防止用のワンウェイクラッチ７１の組み付けが、それらの連結部４２Ａ，７１Ｂの間に生じる組み付け誤差により不安定になって、駆動軸４８に対する逆転防止用のワンウェイクラッチ７１の組み付け姿勢が変動する不都合の発生を防止することができる。その結果、その変動により、駆動軸４８の駆動トルクが変化して、各繰出機構３８による肥料繰り出し量が安定しなくなる不都合の発生を防止することができる。
【００９８】
つまり、上記の構成により、施肥装置４での組み付け誤差に関係なく、各繰出機構３８による肥料繰り出し量を安定させることができ、施肥装置４による施肥を良好に行うことができる。
【００９９】
〔別実施形態〕
【０１００】
〔１〕水田作業機は、施肥装置４、薬剤散布装置、及び、直播装置などの農用供給装置Ａのうちの少なくともいずれか一つを備えた田植機又は直播機などであってもよい。
【０１０１】
〔２〕農用供給装置Ａは、ブロワ４１を備えない構成であってもよい。
【０１０２】
〔３〕農用供給装置Ａの作業条数は種々の変更が可能であり、例えば、農用供給装置Ａを、５条用、６条用、又は、８条用などに構成してもよい。
【０１０３】
〔４〕第１支持体Ｂ１を、車体フレーム６におけるＴ／Ｍケース１０などから延出するように構成してもよい。又、第２支持体Ｂ２を、車体フレーム６における後部フレーム１１などから延出するように構成してもよい。
【０１０４】
〔５〕第１支持体Ｂ１の構成及び数量などは種々の変更が可能である。例えば、第１支持体Ｂ１は、支持アーム８５が横向きＵ字状の第３アーム部８５Ｃを備えていない構成であってもよい。又、支持アーム８５が垂直姿勢の第３アーム部８５Ｃを備える構成であってもよい。そして、第１支持体Ｂ１の数量としては、１つ又は３つ以上であってもよい。
【０１０５】
〔６〕第２支持体Ｂ２の構成及び数量などは種々の変更が可能である。例えば、第２支持体Ｂ２は、座席フレーム１２に連結する第１部材８８と施肥フレーム３６に連結する第２部材８９とを溶接して構成してもよい。又、少なくとも操作具９６用の保管部９８とシャッタ４７用の保管部１００と電子制御ユニット１０１用の支持部１０２とのいずれか一つを備えていない構成であってもよい。更に、第２支持体Ｂ２を運転座席１５の真後ろから外れた位置に配備してもよい。そして、第２支持体Ｂ２の数量としては２つ以上であってもよい。
【０１０６】
〔７〕第２支持体Ｂ２の延出端部Ｂ２ａ、又は、第２支持体Ｂ２の延出端部Ｂ２ａと第１支持体Ｂ１の延出端部Ｂ１ａとの双方が、後部ステップ１６の後端よりも機体後側に位置するように構成してもよい。又、第２支持体Ｂ２の延出端部Ｂ２ａのみが後部ステップ１６よりも上方に位置し、第１支持体Ｂ１の延出端部Ｂ１ａが後部ステップ１６よりも下方に位置するように構成してもよい。
【産業上の利用可能性】
【０１０７】
本発明は、走行車体の後部における運転座席の機体後側に、施肥装置、薬剤散布装置、及び、直播装置などの農用供給装置のうちの少なくともいずれか一つを備えた水田作業機に適用することができる。
【符号の説明】
【０１０８】
１      走行車体
６      車体フレーム
１１    後部フレーム
１２    座席フレーム
１５    運転座席
１６    後部ステップ
２４    位置調節機構
３６    フレーム
３７    ホッパ
３８    繰出機構
４２    部材
４６    供給経路
４７    シャッタ
４８    駆動軸
７１    ワンウェイクラッチ
７２    ワンウェイクラッチ
７３    ワンウェイクラッチ
８７    連結部
８９Ｂ  連結部
９５    受止具
９６    操作具
９８    操作具用の保管部
１００  シャッタ用の保管部
１０１  電子制御ユニット
１０２  電子制御ユニット用の支持部
Ａ      農用供給装置
Ｂ１    第１支持体
Ｂ２    第２支持体
Ｂ１ａ  延出端部（支持部）
Ｂ２ａ  延出端部（支持部）
【図１】
0006328017.tif 000002
【図２】
0006328017.tif 000003
【図３】
0006328017.tif 000004
【図４】
0006328017.tif 000005
【図５】
0006328017.tif 000006
【図６】
0006328017.tif 000007
【図７】
0006328017.tif 000008
【図８】
0006328017.tif 000009
【図９】
0006328017.tif 000010
【図１０】
0006328017.tif 000011
【図１１】
0006328017.tif 000012
【図１２】
0006328017.tif 000013
【図１３】
0006328017.tif 000014
【図１４】
0006328017.tif 000015
【図１５】
0006328017.tif 000016
【図１６】
0006328017.tif 000017
【図１７】
0006328017.tif 000018
【図１８】
0006328017.tif 000019
【図１９】
0006328017.tif 000020
【図２０】
0006328017.tif 000021
【図２１】
0006328017.tif 000022
【図２２】
0006328017.tif 000023